(57)【要約】【課題】反応容器内の熱を還流用ブロックに十分に放出させることが可能な反応容器と試薬添加部の接続アダプタを提供することである。【解決手段】下端１０Ａが反応容器１２の開口に接合し、上端１０Ｂが該反応容器１２内に試薬を添加可能な試薬添加部１４の下端に接合することにより、前記反応容器１２と前記試薬添加部１４を接続する接続アダプタ１０であって、該接続アダプタ１０の外周には、円筒状の熱伝導部材１６が設けられていることを特徴とする。【選択図】図１
2006075695.tif 000002
【特許請求の範囲】
【請求項１】
下端が反応容器の開口に接合し、上端が該反応容器内に試薬を添加可能な試薬添加部の下端に接合することにより、前記反応容器と前記試薬添加部を接続する接続アダプタであって、
該接続アダプタの外周には、円筒状の熱伝導部材が設けられていることを特徴とする接続アダプタ。
【請求項２】
前記熱伝導部材は、反応容器が反応容器把持部に把持された際に、還流用ブロックと上下方向が同じ所に位置するように設けられていることを特徴とする請求項１記載の接続アダプタ。
【発明の詳細な説明】
【技術分野】
【０００１】
本発明は、有機合成装置に用いられる反応容器と試薬添加部を連結する接続アダプタに関する。
【背景技術】
【０００２】
従来から、一度に、同一条件又は異なる条件で多種類の試薬の合成を行い、その合成された試薬について一斉に検定を行うものとして、有機合成装置が使用されている。この有機合成装置は、反応容器内の試薬を撹拌・加熱することによって、反応容器に収容された試薬を合成するものであって、図６及び７に示すように、一般に複数の反応容器６０を把持可能な反応容器把持部６２と、反応容器把持部６２に把持された反応容器６０内の試薬を撹拌する撹拌部６４と、反応容器６０の開口に装着され、反応容器６０内に試薬を添加可能な試薬添加部６６と、を備えている（特許文献１参照）。
【０００３】
反応容器把持部６２は、把持される反応容器６０の上方が突出可能な孔が形成されている天板７２と、天板７２の下方に把持される反応容器６０毎設けられ、反応容器６０の底部が挿入可能な挿入孔を有する保持部７４と、天板７２と保持部７４の間に把持される反応容器６０毎設けられ、反応容器６０が貫通可能な貫通孔を有する還流用ブロック７６と、還流ブロック７６と保持部７４を天板７２に対して支持する支柱７８と、を備えている。撹拌部６４の反応容器把持部７２の各保持部７４に整合する位置には、ヒータ６８及び温度センサ７０が設けられており、保持部７４の底面には、突出するヒータ６８及び温度センサ７０が挿入可能な挿入孔が設けられている。したがって、加熱部のヒータ６８から保持部７４を介して反応容器６０の下方に熱が伝わるように構成されている。反応容器６０の下方がこの加熱部のヒータ６８によって加熱されると、反応容器６０に充填された試薬が蒸発するが、反応容器６０の還流用ブロック７６の位置で冷やされて結露され、再び液体に戻されるよう構成されている。
【０００４】
【特許文献１】特開平１１−１３７９９０号公報
【発明の開示】
【発明が解決しようとする課題】
【０００５】
しかしながら、有機合成装置の反応容器把持部６２は、このように保持部７４や還流用ブロック７６の位置が決まっているため、反応容器として、丈の長い試験管しか用いることができず、開口部の縁にねじ山が形成された比較的丈が短いバイエルビンなどを利用することができないという問題がある。
【０００６】
この問題を解決するために、バイエルビンなど丈が短い反応容器の開口部と試薬添加部の間にそれらを連結する接続アダプタを設けることにより、丈の長い試験管と同等の丈の長さにすることが考えられる。しかしながら、このような接続アダプタは、還流用ブロックと同じ所に位置し、このため反応容器内の熱を還流用ブロックに十分に放出させることができず、反応容器内の試薬の還流を十分に行なうことができないという問題がある。
【０００７】
そこで、本発明は、反応容器内の熱を還流用ブロックに十分に放出させることが可能な反応容器と試薬添加部の接続アダプタを提供することを目的とする。
【課題を解決するための手段】
【０００８】
以上の目的を達成するため、本発明は、下端が反応容器の開口に接合し、上端が該反応容器内に試薬を添加可能な試薬添加部の下端に接合することにより、前記反応容器と前記試薬添加部を接続する接続アダプタであって、該接続アダプタの外周には、円筒状の熱伝導部材が設けられていることを特徴とする。
【０００９】
以上のように、本発明に係る接続アダプタによれば、外周面に円筒状の熱伝導部材を設けているので、接続アダプタが還流用ブロックと同じ所に位置したとしても、反応容器内の熱を還流用ブロックに十分に放出させることができ、反応容器内の試薬の還流を十分に行なうことができる。
【００１０】
したがって、本発明に係る接続アダプタにおいて、前記熱伝導部材は、反応容器が反応容器把持部に把持された際に、還流用ブロックと上下方向が同じ所に位置するように設けられていることが好ましい。また、この熱伝導部材は、軸が含むように軸方向に切断して二つ以上に分割可能に構成されていても良く、また、平面方向に切断して複数の板材に分割可能に構成され、その分割された板材の少なくとも外周から中心に亘って切欠が形成されていても良い。本発明に係る接続アダプタにおいて、熱伝導部材は、熱伝導性に優れた素材で構成されているものであり、例えばアルミニウム、銅などから構成されている。さらに熱伝導部材は、より肉厚に構成されていることが好ましい。
【発明の効果】
【００１１】
以上のように、本発明によれば、反応容器内の熱を還流用ブロックに十分に放出させることが可能な反応容器と試薬添加部の接続アダプタを提供することができる。
【発明を実施するための最良の形態】
【００１２】
次に、本発明に係る接続アダプタの実施例について図面に基いて説明する。図１は、本実施例に係る接続アダプタ１０をバイエルビン１２及びその中に試薬を添加可能な試薬添加部１４に接続した状態を示す正面図であり、図２は、本実施例に係る接続アダプタ１０の正面断面図である。
【００１３】
本実施例に接続アダプタ１０の下端１０Ａの内周には、バイエルビン１２の開口の外周に形成されたねじ山が螺合可能なねじ溝が形成されており、バイエルビン１２の上端を接続アダプタ１０の下端１０Ａに螺合することによって、バイエルビン１２を接続アダプタ１０に密に接合することができる。また、接続アダプタ１０の上端１０Ｂの内周には、試薬添加部１４の下端に形成されたねじ山が螺合可能なねじ溝が形成されており、試薬添加部１４の下端を接続アダプタ１０の上端１０Ｂに螺合させることによって、試験添加部１４を接続アダプタ１０に密に接合することができる。さらに、接合アダプタ１０の上端１０Ｂから下端１０Ａに連通する連通孔１０Ｃの上方は、下方に向かって先細りとなるテーパ状に形成されており、このように上方をテーパ状に形成することにより、試薬添加部１４の上方から挿入される試薬投入用注射器のシリンジ針が、挿入の際に接続アダプタ１０の連通孔１０Ｃの内壁に刺さるのを防止することができる。
【００１４】
接続アダプタ１０の外周の軸方向の中間の位置には、アルミ製の熱伝導部材１６が設けられている。熱伝導部材１６は、ある程度肉厚を有する円筒状に形成されており、この円筒状の熱伝導部材１６の外径は、接続アダプタ１０の外径と同径になるように形成されている。また、熱伝導部材１６は、図３に示すように軸方向に切断して二つのハーフパイプ状に分割されており、この二つに分割された熱伝導部材片１６Ａ、１６Ｂの一方には、接線と平行に形成されたねじ穴１８が一対形成されており、他方には、そのねじ穴１８に螺合可能なねじ２０が挿入可能であるとともに、ねじ穴１８と整合する挿入孔２２が一対形成されている。これら挿入孔２２の分割面側は、ねじ２０のねじ部分よりも若干大きな内径を有し、外周面側は、ねじ２０のねじ頭よりも若干大きな内径を有する。したがって、分割された熱伝導部材片１６Ａ、１６Ｂは、その間に、接続アダプタ１０の本体を挟み、ねじ２０を挿入孔に挿入して、ねじ穴１８に螺合することにより、熱伝導部材１６を接合アダプタ１０に装着することができる。
【００１５】
以上のように本実施例に係る接続アダプタにおいて、熱伝導部材１６は、軸方向に切断して分割し、分割された両片１６Ａ、１６Ｂを接続アダプタ１０の本体を中心として再結合させることによって、接続アダプタ１０に装着しているが、これに限定されず、例えば、図４及び５に示すように熱伝導部材１６を平面方向に切断することにより複数の板材２４に分割し、これら板材２４の外周から中心、さらに若干対向する位置に亘って切欠２６を形成することによって、その切欠２０から接続アダプタの本体に装着することが可能に構成しても良い。
【図面の簡単な説明】
【００１６】
【図１】本発明に係る接続アダプタの実施例をバイエルビン及びその中に試薬を添加可能な試薬添加部に接続した状態を示す正面図である。
【図２】本実施例に係る接続アダプタの正面断面図である。
【図３】図２のＩＩＩ−ＩＩＩ線に沿った断面図である。
【図４】他の熱伝導部材を装着した本実施例に係る接続アダプタの正面断面図である。
【図５】他の熱伝導部材の平面図である。
【図６】従来の有機合成装置の概念図である。
【図７】従来の有機合成装置の反応容器把持部と撹拌部を分離した状態を示す図である。
【符号の説明】
【００１７】
１０   接続アダプタ
１０Ａ 下端
１０Ｂ 上端
１２   反応容器
１４   試薬添加部
１６   熱伝導部材
【図１】
2006075695.tif 000003
【図２】
2006075695.tif 000004
【図３】
2006075695.tif 000005
【図４】
2006075695.tif 000006
【図５】
2006075695.tif 000007
【図６】
2006075695.tif 000008
【図７】
2006075695.tif 000009